(57)【特許請求の範囲】
【請求項１】
カメラを遠隔操作可能な制御装置であって、
前記カメラにアクセサリーが装着されているかを示す信号を前記カメラから受信する受信手段と、
前記カメラにアクセサリーが装着されているときに、当該アクセサリーの装着に伴うカメラの機能を設定可能に制御装置画面に表示するように制御する表示制御手段と、
設定可能な前記カメラの機能を制御装置画面に前記表示制御手段によって表示する際に、前記受信手段で受信した信号に応じて、アクセサリーが装着されていないときには、アクセサリーが装着された状態のときに設定できる当該アクセサリーに対応して選択できる機能を選択できないように制御装置画面の表示制御をする遠隔操作手段とを有することを特徴とする制御装置。
【請求項２】
前記遠隔操作手段は、カメラにアクセサリーが装着された状態の時アクセサリーが装着されることで追加された機能に対応するカメラの機能又は制御値の設定を行なえる状態とすることを特徴とする請求項１に記載の制御装置。
【発明の詳細な説明】
【０００１】
【発明の属する技術分野】
本発明は遠隔操作カメラシステムの改良に関するもので、特に各種アクセサリが装着可能なカメラの遠隔操作制御方法に関するものである。
【０００２】
【従来の技術】
従来より遠隔操作にて撮影を行うカメラが考案されていて、レリーズボタンを機械的に延長したメカ式レリーズケーブルや電気信号線と電磁駆動装置を用いた電磁式レリーズケーブルなどが用いられてきた。これらのレリーズケーブルはレリーズ動作を遠隔操作するだけの単純なものであった。
【０００３】
最近では露出制御やフォーカス制御などの様々制御をマイコンで用いて制御する電子制御式カメラが主流となり、カメラに搭載した電子制御装置とパーソナルコンピュータ（以下ＰＣと呼ぶ）とを接続して、カメラの電子制御装置にＰＣから制御信号を送る事で各種の遠隔操作が可能な電子式遠隔操作カメラシステムも考案されている。
【０００４】
また、特開平９−１９７４６５などに見られる様に、ＣＰＵを搭載した高機能なリモコン装置からカメラへ設定情報を送信して遠隔操作を行う装置が考案されている。
【０００５】
この様な電子式遠隔操作カメラシステムでは、ＰＣやＣＰＵ搭載リモコンとカメラとをシリアル通信ケーブルや赤外線通信などで接続し、ＰＣ等の遠隔制御装置上で動作している制御ソフトウェアにより制御情報などがカメラに伝達される。情報を受信したカメラは受信した情報によりレリーズ動作やシャッター速度の変更などを行なう様になっている。
【０００６】
また、フィルム給送補助装置などのアクセサリを装着出来るカメラシステムでは連続撮影の撮影駒速度などの設定可能項目が高速・中速・低速という様に広範囲に設定可能になっている。
【０００７】
【発明が解決しようとする課題】
しかしながら、ＰＣ側で高速モードを選択しても、フィルム給送補助装置などのアクセサリが装着されていない場合は中速モードと低速モードのみが有効で、高速モードでは撮影出来ないという場合などは、遠隔操作者が誤操作を行った事になり撮影ミスになってしまう恐れがあった。
【０００８】
基本機能のみに対応した遠隔撮影システムではアクセサリ装着による追加機能を遠隔操作で選択する事が出来なくなっていた。
【０００９】
【課題を解決するための手段】
上記目的を達成するため、カメラを遠隔操作可能な制御装置であって、前記カメラにアクセサリーが装着されているかを示す信号を前記カメラから受信する受信手段と、前記カメラにアクセサリーが装着されているときに、当該アクセサリーの装着に伴うカメラの機能を設定可能に制御装置画面に表示するように制御する表示制御手段と、設定可能な前記カメラの機能を制御装置画面に前記表示制御手段によって表示する際に、前記受信手段で受信した信号に応じて、アクセサリーが装着されていないときには、アクセサリーが装着された状態のときに設定できる当該アクセサリーに対応して選択できる機能を選択できないように制御装置画面の表示制御をする遠隔操作手段とを有するものである。
【００２３】
【発明の実施の形態】
図１は本発明による遠隔操作カメラシステム構成を示す図で、１はパーソナルコンピュータ（以下ＰＣ）、２はカメラ本体、３はＰＣとカメラとを接続して情報の授受を行う接続ケーブル、４はカメラ本体に装着される交換式撮影レンズ、５はカメラ本体に装着して閃光撮影を行う為の閃光発光装置、６はカメラ本体に装着してフィルム巻き上げ能力やシャッター駆動バネチャージ能力を高めるフィルム給送補助装置（以下ブースター）である。
【００２４】
図２はカメラ単体とアクセサリであるブースター６を装着した場合とのドライブモードを比較した表である。
【００２５】
本実施例のカメラでは１回のレリーズ操作で１駒だけ撮影する単写撮影と１回のレリーズ操作で複数駒を連続して撮影する連続撮影とを機能選択出来る様になっているが、カメラ単体での連続撮影機能は毎秒１駒しか撮影できないが、ブースターを装着した場合は毎秒１駒、３駒、５駒、７駒を選択出来るものである。
次に図３フローチャートで本発明による第１の実施の形態である遠隔操作カメラシステムの動作を説明するが、アクセサリとしてはドライブブースターを想定し、ＰＣでは遠隔操作ソフトウェアが起動しているものとする。
【００２６】
＃１０１
ＰＣ１の遠隔操作ソフトウェアがカメラへ接続確認を行い、カメラとの通信が可能であれば＃１０２へ移行する。
【００２７】
＃１０２
ＰＣ１の遠隔操作ソフトウェアはカメラへアクセサリ装着の有無を確認するアクセサリ確認コマンドを送信し、カメラからのアクセサリ装着有無情報を得る。カメラは上記確認コマンドに応じてカメラに装着されているアクセサリ−の種類やそのアクセサリー持つ機能を表す情報を含む有無情報をPC1に転送する。
【００２８】
＃１０３
ＰＣ１の遠隔操作ソフトウェアはＰＣの画面にアクセサリ装着状況に左右されない基本画面（図６）を表示する。
【００２９】
＃１０４
ＰＣ１の遠隔操作ソフトウェアは＃１０２で取得したアクセサリ装着有無情報によりアクセサリの装着有無を確認し、アクセサリが装着されている場合は＃１０５へ分岐し、アクセサリが装着されていない場合は＃１０６へ分岐する。
【００３０】
＃１０５
ＰＣ１の遠隔操作ソフトウェアはアクセサリが装着されている場合に有効となる機能選択部材をＰＣ画面に追加表示（図７）する。
この場合、アクセサリーとしてはドライブブースターであり、その機能はブースターを装着した場合は毎秒１駒、３駒、５駒、７駒を選択出来るものであるので、カメラから伝えられた機能情報に応じて図７の表示となるが、ストロボが装着された場合は当然そのストロボの機能に応じた表示となる。
【００３１】
＃１０６
ＰＣ１の遠隔操作ソフトウェアは操作者がＰＣを操作して、画面表示されている機能を選択されるのを待つ。
具体的には、マウスなどを用いてＰをクリック（選択）したりＣ１をクリック（選択）したりといったイベントを待つ。
【００３２】
＃１０７
＃１０６にて発生したイベントに応じた制御情報をカメラへ送信する。
具体的にはＰをクリック（選択）した場合はＰモード指示コマンドを送信し、Ｃ１をクリック（選択）した場合はＣ１モード指示コマンドを送信し、Ｔｖ値を入力された場合はＴｖ値を送信する。
【００３３】
＃１０８
＃１０７にて送信された制御情報によりカメラが所定の動作を行う。
具体的にはＰモード指示コマンドを受信した場合はＰモードに設定し、Ｃ１モード指示コマンドを受信した場合はＣ１モードに設定し、Ｔｖ値を受信した場合は受信したＴｖ値を設定する。
また、受信した制御情報がレリーズ指示であった場合は現在設定されている各モードにて撮影動作を実行する。
この後ＰＣ１の遠隔操作ソフトウェアは＃１０６へ戻って次の操作を待つ。
【００３４】
尚、この＃１０８はカメラ側での動作であり、カメラ側は＃１０７からの指示コマンドに従って＃１０８の動作を行う処理ソフトを行なうPCが内蔵され、かつその指示に従った動作を行ったときにPC１に対して処理終了したことを表す信号を伝え、この信号により＃１０６に戻るものである。
【００３５】
次に図４のフローチャートで本発明による第２の実施の形態である遠隔操作カメラシステムの動作を説明するが、アクセサリとしてはドライブブースターを想定し、ＰＣでは遠隔操作ソフトウェアが起動しているものとする。
【００３６】
＃２０１
ＰＣ１の遠隔操作ソフトウェアがカメラへ接続確認を行い、カメラとの通信が可能であれば＃２０２へ移行する。
【００３７】
＃２０２
ＰＣ１の遠隔操作ソフトウェアはカメラへアクセサリ装着の有無を確認するアクセサリ確認コマンドを送信し、カメラからのアクセサリ装着有無情報を得る（第１の実施の形態と同様に処理される。）。
【００３８】
＃２０３
ＰＣ１の遠隔操作ソフトウェアはＰＣの画面にアクセサリが装着されたときに有効となる全機能を示す画面（図７）を表示する。この場合はアクセサリーとしてブースターのみが装着可能の例であるので、図７の表示となるがその他のアクセサリーが装着可能であればその他の機能も表示される。
【００３９】
＃２０４
ＰＣ１の遠隔操作ソフトウェアは＃２０２で取得したアクセサリ装着有無情報によりアクセサリの装着有無を確認し、アクセサリが装着されていない場合は＃２０５へ分岐し、アクセサリが装着されている場合は＃２０６へ分岐する。
【００４０】
＃２０５
ＰＣ１の遠隔操作ソフトウェアはアクセサリが装着されている場合にのみ有効となる機能選択仮想部材をＰＣ画面上で無効化（図８）する。
無効化とは画面上には表示されているが、他の有効な機能選択仮想部材とは異なる色・調子などで表示し、マウスクリックなどで選択する事が出来なくする事を意味する。この場合C3,C5,C7が無効化される。また無効化された機能の表示を消しても良い。
【００４１】
＃２０６
ＰＣ１の遠隔操作ソフトウェアは操作者がＰＣを操作して、画面表示されている機能を選択されるのを待つ。
具体的には、マウスなどを用いてＰをクリック（選択）したりＣ１をクリック（選択）したりといったイベントを待つ。
【００４２】
＃２０７
＃２０６にて発生したイベントに応じた制御情報をカメラへ送信する。
具体的にはＰをクリック（選択）した場合はＰモード指示コマンドを送信し、Ｃ１をクリック（選択）した場合はＣ１モード指示コマンドを送信し、Ｔｖ値を入力された場合はＴｖ値を送信する。
【００４３】
＃２０８
＃２０７にて送信された制御情報によりカメラが所定の動作を行う。
具体的にはＰモード指示コマンドを受信した場合はＰモードに設定し、Ｃ１モード指示コマンドを受信した場合はＣ１モードに設定し、Ｔｖ値を受信した場合は受信したＴｖ値を設定する。
また、受信した制御情報がレリーズ指示であった場合は現在設定されている各モードにて撮影動作を実行する。
この後ＰＣ１の遠隔操作ソフトウェアは＃２０６へ戻って次の操作を待つ。
具体的には第１の実施の形態と同様な処理がおこなわれる。
【００４４】
次に図５のフローチャートで本発明による第３の実施例である遠隔操作カメラシステムの動作を説明するが、アクセサリとしてはドライブブースターを想定し、ＰＣでは遠隔操作ソフトウェアが起動しているものとする。
【００４５】
＃３０１
ＰＣ１の遠隔操作ソフトウェアがカメラへ接続確認を行い、カメラとの通信が可能であれば＃３０２へ移行する。
【００４６】
＃３０２
ＰＣ１の遠隔操作ソフトウェアはカメラへアクセサリ装着の有無を確認するアクセサリ確認コマンドを送信し、カメラからのアクセサリ装着有無情報を得る。（第１の実施の形態と同様に処理される。）
＃３０３
第２の実施の形態と同様にＰＣ１の遠隔操作ソフトウェアはＰＣの画面にアクセサリが装着されたときに有効となる全機能を示す画面（図７）を表示する。
【００４７】
＃３０４
ＰＣ１の遠隔操作ソフトウェアは操作者がＰＣを操作して、画面表示されている機能を選択されるのを待つ。
具体的には、マウスなどを用いてＰをクリック（選択）したりＣ１をクリック（選択）したりといったイベントを待つ。
【００４８】
＃３０５
ＰＣ１の遠隔操作ソフトウェアは＃３０４で取得したアクセサリ装着有無情報によりアクセサリの装着有無を確認し、＃３０４で発生したイベントが有効か無効化かを判断し、有効である場合は＃３０６へ分岐し、無効である場合は＃３０８へ分岐する。
【００４９】
＃３０６
＃３０４にて発生したイベントに応じた制御情報をカメラへ送信する。
具体的にはＰをクリック（選択）した場合はＰモード指示コマンドを送信し、Ｃ１をクリック（選択）した場合はＣ１モード指示コマンドを送信し、Ｔｖ値を入力された場合はＴｖ値を送信する。
【００５０】
＃３０７
＃３０６にて送信された制御情報によりカメラが所定の動作を行う。
具体的にはＰモード指示コマンドを受信した場合はＰモードに設定し、Ｃ１モード指示コマンドを受信した場合はＣ１モードに設定し、Ｔｖ値を受信した場合は受信したＴｖ値を設定する。
また、受信した制御情報がレリーズ指示であった場合は現在設定されている各モードにて撮影動作を実行する。
この後ＰＣ１の遠隔操作ソフトウェアは＃３０４へ戻って次の操作を待つ。
この動作も第１の実施の形態と同様に処理される。
【００５１】
＃３０８
ＰＣ１の遠隔操作ソフトウェアは＃３０４にて発生したイベントが無効であるというメッセージをＰＣ画面に表示（図9）し、機能が選択出来ない事を操作者に通知する。
具体的にはＣ５モードを選択しても“Ｃ５は選択できません”といったメッセージを表示する。
【００５２】
＃３０９
ＰＣ１の遠隔操作ソフトウェアは＃３０４にて発生したイベントを無効としてカメラへ制御情報を送信しない。
この後ＰＣ１の遠隔操作ソフトウェアは＃３０４へ戻って次の操作を待つ。
【００５３】
【発明の効果】
以上説明したように、各請求項に係る本発明によれば、カメラにアクセサリーが装着された状態や装着されていない状態で適正な遠隔操作を行なうことが出来るものである。
【図面の簡単な説明】
【図１】本発明による遠隔操作カメラシステムの構成図である。
【図２】本発明の動作を説明するための表である。
【図３】本発明による第１の実施の形態におけるフローチャートである。
【図４】本発明による第２の実施の形態を示すフローチャートである。
【図５】本発明による第３の実施の形態を示すフローチャートである。
【図６】本発明でアクセサリ装着に左右されない基本ＰＣ画面例を示す説明図である。
【図７】本発明でアクセサリが装着されている場合のＰＣ画面例を示す説明図である。
【図８】本発明による第２の実施の形態でのＰＣ画面例を示す説明図である。
【図９】本発明による第３の実施の形態でのＰＣ画面例を示す説明図である。
【符号の説明】
１  コンピューター
２  カメラ本体
３  接続ケーブル
４  交換レンズ
５  閃光発光装置
６  ブースター
【図１】
0004865145.tif 000002
【図２】
0004865145.tif 000003
【図３】
0004865145.tif 000004
【図４】
0004865145.tif 000005
【図５】
0004865145.tif 000006
【図６】
0004865145.tif 000007
【図７】
0004865145.tif 000008
【図８】
0004865145.tif 000009
【図９】
0004865145.tif 000010